(57)【要約】【課題】外部機器の接続先の登録を容易に行うことができるドアホン親機及びインターホンシステムを提供する。【解決手段】外部機器は、音声信号帯域内の任意の周波数であるトーン信号を生成してドアホン親機Ａへと送信するトーン信号生成手段を備えており、ドアホン親機Ａは、切換手段を介して音声信号路Ｒ１〜Ｒ３に接続され音声信号路Ｒ１〜Ｒ３から送信されるトーン信号を検出するトーン信号検出手段を備えている。制御手段は、切換手段を制御して複数の接続端子Ｔ１〜Ｔ３に対して一端子ごとに順番に音声信号路Ｒを接続させると共に、登録対象となる外部機器からトーン信号を要求し、トーン信号検出手段においてトーン信号を検出させることで外部機器の接続先を特定し、登録するようになしている。【選択図】図１
2008054123.tif 000002
【特許請求の範囲】
【請求項１】
複数の接続端子を備えるドアホン親機と、接続端子を介してドアホン親機に接続される複数の外部機器とを備えており、ドアホン親機は、外部機器からの制御信号を受信すると共にドアホン親機全体の制御を行う制御手段と、一の接続端子との間で音声信号路を接続するようになした切換手段とを備えており、この切換手段を制御することで選択した一の外部機器とドアホン親機との間で通話できるようになしたインターホンシステムにおいて、
外部機器は、音声信号帯域内の任意の周波数であるトーン信号を生成してドアホン親機へと送信するトーン信号生成手段を備えており、ドアホン親機は、切換手段を介して音声信号路に接続され音声信号路から送信されるトーン信号を検出するトーン信号検出手段を備えており、制御手段は、切換手段を制御して複数の接続端子に対して一端子ごとに順番に音声信号路を接続させると共に、登録対象となる外部機器からトーン信号を要求し、トーン信号検出手段においてトーン信号を検出させることで外部機器の接続先を特定し、登録するようになしたことを特徴とするインターホンシステム。
【請求項２】
外部機器は独自に電力を取得して動作するものであり、接続端子を介してドアホン親機に接続され、ドアホン親機から給電を受けて動作する子機を備えたインターホンシステムであって、ドアホン親機は、子機に給電する給電手段を備えており、切換手段は一の接続端子との間で音声信号路及び給電路を接続するようになしたことを特徴とする請求項１記載のインターホンシステム。
【発明の詳細な説明】
【技術分野】
【０００１】
本願発明は、ドアホン親機と複数の子機及び外部機器との間で通話できるインターホンシステムに関するものである。
【背景技術】
【０００２】
従来から、特開２００６−１５７１７８号公報（特許文献１）に示されるように、複数の子機及び外部機器と通話するインターホンシステムは知られている。このインターホンシステムは、図５に示すように、ドアホン親機Ａに具備された三対の接続端子に二機の子機Ｂ及び一機のセンサカメラＣが接続されている。子機Ｂはカメラ９１と通話部９２（スピーカー、マイク）とを備えており、センサカメラＣはカメラ９３と通話部（不図示）と人体検知部９４とを備えている。
【０００３】
一方、ドアホン親機Ａは複数の子機ＢやセンサカメラＣと同時に通話することができない構成となっているため、一機の子機ＢまたはセンサカメラＣを選択して通話する必要がある。したがって、図６に示すように、ドアホン親機Ａの内部回路には一の接続端子に接続し音声の伝送を行う切換制御部９５が設けられており、この切換制御部９５の制御によって通話したい一の子機ＢまたはセンサカメラＣを選択している。
【特許文献１】特開２００６−１５７１７８号公報
【発明の開示】
【発明が解決しようとする課題】
【０００４】
しかしながら、上記従来例であるインターホンシステムにあっては、切換制御部９５において通話する一の子機ＢまたはセンサカメラＣを選択するためには、どの接続端子にどのセンサカメラＣが接続されているかをドアホン親機Ａがあらかじめ把握していることが不可欠である。したがって、センサカメラＣの接続先をドアホン親機Ａに登録する必要があり、登録を行うにあたっては、センサカメラＣの接続先をチェックしたりドアホン親機ＡにＩＤや接続先等を入力したりと複雑な作業を伴うものであって、ユーザーや施工業者の負担となっていた。
【０００５】
一方、最近は、端末の小型化や低コスト化の観点から、少ない接続端子数で多数のセンサカメラ等の外部機器を接続することが求められており、一対の接続端子に複数の外部機器を接続することを許容する構成が必要となっている。しかしながら、このような構成においては、ドアホン親機Ａと外部機器との接続状態は上記従来例のインターホンシステムよりも更に複雑なものとなり、接続先の登録をしようとする場合は、前記ユーザーや施工業者の負担も更に増えることになる。
【０００６】
本願発明は、上記背景技術に鑑みて発明されたものであり、その課題は、外部機器の接続先の登録を容易に行うことができるドアホン親機及びインターホンシステムを提供することである。
【課題を解決するための手段】
【０００７】
上記課題を解決するために、本願請求項１記載の発明では、複数の接続端子を備えるドアホン親機と、接続端子を介してドアホン親機に接続される複数の外部機器とを備えており、ドアホン親機は、外部機器からの制御信号を受信すると共にドアホン親機全体の制御を行う制御手段と、一の接続端子との間で音声信号路を接続するようになした切換手段とを備えており、この切換手段を制御することで選択した一の外部機器とドアホン親機との間で通話できるようになしたインターホンシステムにおいて、外部機器は、音声信号帯域内の任意の周波数であるトーン信号を生成してドアホン親機へと送信するトーン信号生成手段を備えており、ドアホン親機は、切換手段を介して音声信号路に接続され音声信号路から送信されるトーン信号を検出するトーン信号検出手段を備えており、制御手段は、切換手段を制御して複数の接続端子に対して一端子ごとに順番に音声信号路を接続させると共に、登録対象となる外部機器からトーン信号を要求し、トーン信号検出手段においてトーン信号を検出させることで外部機器の接続先を特定し、登録するようになしたことを特徴としている。
【０００８】
又、本願請求項２記載の発明では、上記請求項１記載のインターホンシステムにおいて、外部機器は独自に電力を取得して動作するものであり、接続端子を介してドアホン親機に接続され、ドアホン親機から給電を受けて動作する子機を備えたインターホンシステムであって、ドアホン親機は、子機に給電する給電手段を備えており、切換手段は一の接続端子との間で音声信号路及び給電路を接続するようになしたことを特徴としている。
【発明の効果】
【０００９】
本願請求項１記載のインターホンシステムにおいては、複数の接続端子に対して一端子ごとに順番に音声信号路を接続させると共に、登録対象となる外部機器からトーン信号を要求し、トーン信号検出手段においてトーン信号を検出させているため、登録対象の外部機器は、トーン信号を受けた時に接続していた一の接続端子を介して接続されていることが特定できる。更にこの作業は、登録対象の外部機器を指定しさえすれば制御手段が自動で行うものであるため、外部機器の接続先の登録を容易に行うことができる。
【００１０】
又、外部機器を接続端子に接続すると同時に制御手段が上記の登録作業を自動で行うように設定すれば、外部機器の接続先の登録を完全に自動で行うことができる。
【００１１】
又、本願請求項２記載のインターホンシステムにおいては、ドアホン親機には、ドアホン親機から給電を受けて動作する子機を接続することができ、それぞれドアホン親機と通話可能であるドアホン親機から給電を受けて動作する子機と、独自に電力を取得して動作する外部機器とを備えたインターホンシステムとなる。
【発明を実施するための最良の形態】
【００１２】
図１〜３は、一実施形態であるドアホン親機Ａ及びインターホンシステムを示している。このインターホンシステムは、複数の接続端子Ｔ１〜Ｔ３を備えるドアホン親機Ａと、接続端子Ｔ１〜Ｔ３に接続され独自に電力を取得して動作する複数の外部機器と、接続端子Ｔ１〜Ｔ３に接続されドアホン親機Ａから給電を受けて動作する子機Ｂとを備えている。
【００１３】
ドアホン親機Ａは、子機Ｂに給電する給電手段と、外部機器からの制御信号を受信すると共にドアホン親機Ａ全体の制御を行う制御手段と、一の接続端子Ｔとの間で音声信号路Ｒ及び給電路を接続するようになした切換手段とを備えており、この切換手段を制御することで選択した一の外部機器とドアホン親機Ａとの間で通話できるようになしている。
【００１４】
又、外部機器は、音声信号帯域内の任意の周波数であるトーン信号を生成してドアホン親機Ａへと送信するトーン信号生成手段を備えており、ドアホン親機Ａは、切換手段を介して音声信号路Ｒ１〜Ｒ３に接続され音声信号路Ｒ１〜Ｒ３から送信されるトーン信号を検出するトーン信号検出手段を備えている。制御手段は、切換手段を制御して複数の接続端子Ｔ１〜Ｔ３に対して一端子ごとに順番に音声信号路Ｒを接続させると共に、登録対象となる外部機器からトーン信号を要求し、トーン信号検出手段においてトーン信号を検出させることで外部機器の接続先を特定し、登録するようになしている。
【００１５】
以下、この実施形態のドアホン親機Ａ及びインターホンシステムを、より具体的詳細に説明する。図２に示すように、このインターホンシステムは、ドアホン親機Ａに二つの子機Ｂと外部機器となる四つのセンサカメラＣが伝送線Ｌを介して接続されており、ドアホン親機Ａと子機Ｂ又はセンサカメラＣとの間で映像、音声、制御信号の伝送を行うものである。又、ドアホン親機Ａには宅内の各部屋に設置される増設ドアホン親機Ｄが更に接続されており、増設ドアホン親機Ｄとの間においてもドアホン親機Ａと同様に映像等の伝送を行うことが可能である。なお、センサカメラＣについては何機接続されていてもよく、一対の接続端子Ｔに接続された複数の機器は、送り配線で接続されている。
【００１６】
子機Ｂは、ドアホン親機Ａから電力供給を受けて動作しており、例えば玄関や勝手口の宅外側に設置され、来客を撮像するカメラＢ１と、呼出釦Ｂ２とを備え、前面のスリットＢ３内側にはマイク、スピーカ（不図示）が収納されている。
【００１７】
センサカメラＣは、独自に電力を取得して動作しており、不審者や家人を撮像する撮像手段となるカメラＣ１と、人体検知手段となる人感センサＣ２と、マイク及びスピーカを具備して通話手段となる通話部Ｃ４と、照明器具Ｃ３とを備えており、例えば、庭や宅内や玄関に設置されている。又、図３に示すように、センサカメラＣは、トーン信号生成手段となるトーン信号生成部Ｃ５を備えており、ドアホン親機Ａからの制御信号を受けて、音声信号帯域の任意の周波数（例えば１kHz）であるトーン信号を生成し、ドアホン親機Ａへと送信するようになっている。
【００１８】
又、各センサカメラＣは固有のＩＤを有しており、このＩＤはドアホン親機Ａに接続する際にドアホン親機Ａに登録される。又、センサカメラＣに備えられたマイクは、ドアホン親機Ａから自己のＩＤを有する制御信号が伝送されて初めて動作するようになっている。
【００１９】
又、子機Ｂ及びセンサカメラＣに備えられたカメラＢ１，Ｃ１の露出やピント、マイクの音量等は調整が可能であり、これらの調整はドアホン親機Ａからの制御信号を受けて行なわれる。又、このカメラＢ１，Ｃ１やマイク等の調整の状態は制御信号としてドアホン親機Ａへと伝送される。なお、伝送線Ｌには２線式の平衡ケーブルが用いられている。
【００２０】
ドアホン親機Ａは商用電源が供給されており、モニタ１と、各種操作を行なうための操作部２とを前面に備え、前面の複数の孔３内側にはマイク、スピーカが収納されている。又、ドアホン親機Ａは、図１のブロック図に示すように三対の接続端子Ｔ１，Ｔ２，Ｔ３を備えており、これらの接続端子Ｔ１〜Ｔ３に伝送線Ｌを介して複数の子機Ｂ及びセンサカメラＣが取り付けられている。なお、一対の接続端子Ｔに対して複数のセンサカメラＣ等の機器を取り付けることが可能であるが、子機Ｂについては一対の接続端子Ｔに対して一機に限られる。
【００２１】
ドアホン親機Ａには子機Ｂに給電を行う給電部８ａ及び補助給電部８ｂが設けられている。給電部８ａは子機Ｂの動作に必要な電力を供給する給電手段であり、子機Ｂは給電部８ａからの電力供給を受けない限りは動作しないようになっている。補助給電部８ｂは、各接続端子Ｔ１〜Ｔ３に一つずつ設けられており、給電部８ａよりも微弱な電力を常に子機Ｂに供給している。子機Ｂは、給電部８ａからの電力供給を受けていない時は、補助給電部８ｂからの電力供給のみを受けて待機状態となっている。
【００２２】
又、各補助給電部８ｂは制御手段となるＣＰＵを備えた制御部９に接続されており、制御部９は子機Ｂにかかる電圧の変化を検出している。ここで、子機Ｂの呼出釦Ｂ２が押操作されると、押操作された子機Ｂにかかる電圧が変化するようになっている。したがって、押操作された子機Ｂにかかる電圧の変化が制御部９で検出され、制御部９はどの接続端子Ｔに接続された子機Ｂが押操作されたかを把握するようになっている。
【００２３】
子機Ｂ及びセンサカメラＣから伝送線Ｌを通ってドアホン親機Ａの接続端子Ｔに入力された信号は、多重分離回路４へと伝送される。ここで、伝送線Ｌは２線式の平衡ケーブルであって、映像信号、音声信号、制御信号の伝送と電源の供給とに用いられるのであるから、伝送線Ｌでは映像信号、音声信号、制御信号が混在し、それらの信号が電源に重畳された形で伝送されることになる。映像信号と音声信号と制御信号とは周波数帯域が異なるから（特開平５−２０７１６６号公報等参照）、伝送線Ｌから接続端子Ｔを通して入力された信号は、ドアホン親機Ａの多重分離回路４において周波数帯域別に分離することにより、映像信号、音声信号、及び制御信号に分離される。なお、センサカメラＣから送信されるトーン信号は、音声信号帯域の周波数であるため、音声信号として分離される。
【００２４】
多重分離回路４で分離された映像信号は映像部７へと伝送され、映像部７において復調されてモニタ１に入力される。なお、このインターホンシステムはＴＤＭＡ（時分割多重伝送）方式で映像信号を伝送しており一度に４ｃｈまでの画像をモニタ１に出力させることができる。又、多重分離回路４で分離された制御信号は制御部９へと伝送される。
【００２５】
又、多重分離回路４で分離された音声信号は、切換回路５で接続された音声信号路Ｒ１〜Ｒ３を通ってスピーカやマイク等を具備する通話部１０へと伝送される。ここで、切換回路５は切換手段を構成するものであり、各接続端子Ｔ１〜Ｔ３に繋がる三経路の音声信号路Ｒ１〜Ｒ３のうち、いずれか一の音声信号路Ｒに接続することで一対の接続端子Ｔと通話部１０及び給電部８ａとの間で音声信号路Ｒ及び給電路を接続する。切換回路５は、制御部９からの制御を受けてこの音声信号路Ｒ及び給電路の接続を行っている。
【００２６】
又、ドアホン親機ＡはセンサカメラＣから送信されるトーン信号を検出する検出部６を備えている。この検出部６はトーン信号検出手段を構成するものであり、切換回路５を介して音声信号路Ｒ１〜Ｒ３に接続されている。検出部６は、音声信号路Ｒ１〜Ｒ３を通って伝送されてくるトーン信号を検出すると、その検出結果を制御部９へと伝送するようになっている。
【００２７】
制御部９は、新たにセンサカメラＣがドアホン親機Ａに接続される際に、センサカメラＣのＩＤに対応して接続先の登録がなされることで、センサカメラＣがどの接続端子Ｔ１〜Ｔ３に接続されているかを把握している。制御部９は、この接続先登録の情報及びセンサカメラＣから伝送された制御信号をもとに切換回路５の制御を行っている。接続先登録のプロセスを図４のフロー図を用いて以下に説明する。
【００２８】
まず、センサカメラＣは、ドアホン親機Ａのいずれかの接続端子Ｔ１〜Ｔ３に接続して電源を入れると、自動的に登録プログラムの開始を要求する制御信号を自己のＩＤ（ＩＤ１）と共にドアホン親機Ａへと送信する。この制御信号を受けて、ドアホン親機Ａは接続されたセンサカメラＣのＩＤを認識すると共に、登録プログラムを起動する（Ｓ０１）。
【００２９】
登録プログラムが起動されると、切換回路５は制御部９からの制御を受けて音声信号路Ｒ１を接続する（Ｓ０２）。その後、制御部９はＩＤ１のセンサカメラＣからトーン信号の送信を要求する制御信号を送信し、制御信号を受けたＩＤ１のセンサカメラＣはトーン信号生成部Ｃ５からドアホン親機Ａへとトーン信号を送信する（Ｓ０３）。なお、センサカメラＣは登録プログラムが終了するまで（Ｓ１０）、トーン信号を送信し続けている。ここで、接続端子Ｔ１にＩＤ１のセンサカメラＣが接続されている場合は、トーン信号は音声信号路Ｒ１を通って検出部６へと伝送されるため、制御部９は検出部６の検出結果を受けてＩＤ１のセンサカメラＣの接続先が接続端子Ｔ１であることを登録する（Ｓ０４）。
【００３０】
一方、一定時間経過しても検出部６でトーン信号を受信できない場合、切換回路５は制御部９からの制御を受けて音声信号路Ｒ２を接続する（Ｓ０５）。その後、Ｓ０４と同様に検出部６でトーン信号を検出した場合は、ＩＤ１のセンサカメラＣの接続先が接続端子Ｔ２であることを登録する（Ｓ０６）。一方、一定時間経過しても検出部６でトーン信号を検出できない場合は、音声信号路Ｒ３を接続する（Ｓ０７）。その後、Ｓ０４、Ｓ０６と同様に検出部６でトーン信号を検出した場合は、ＩＤ１のセンサカメラＣの接続先が接続端子Ｔ３であることを登録する（Ｓ０８）。
【００３１】
一方、一定時間経過しても検出部６でトーン信号を検出できない場合は、ＩＤ１のセンサカメラＣはどの接続端子Ｔ１〜Ｔ３にも接続されていないことを認識する（Ｓ０９）。なお、この場合は、表示部１にエラーメッセージを表示させるか、登録プログラムを再び起動する等の適当な対処をするようになっている。Ｓ０４、Ｓ０６、Ｓ０８、Ｓ０９の各ステップにおいて接続先の登録が終了すると、ＩＤ１のセンサカメラＣからのトーン信号の送信は停止され、登録プログラムは終了する（Ｓ１０）。
【００３２】
次に、このインターホンシステムの動作について説明する。初めに、子機Ｂとドアホン親機Ａ間の通話について説明する。いずれかの子機Ｂの呼出釦Ｂ２を来客が押操作すると、制御部９からの制御信号を受けて切換回路５は通話先の子機Ｂが接続されている一対の接続端子Ｔとの間で音声信号路Ｒ及び給電路を接続する。よって、押操作された子機Ｂは、ドアホン親機Ａから給電を受けてドアホン親機Ａとの間で通話が可能となり、又、子機ＢのカメラＢ１は撮像を開始し、撮像した来客等の映像をドアホン親機Ａのモニタ１に表示させることが可能となる。
【００３３】
次に、センサカメラＣとドアホン親機Ａ間の通話について説明する。いずれかのセンサカメラＣの前を人が通るとセンサカメラＣは、人感センサＣ２において人体を検知し、照明器具Ｃ３を点灯させると共に、自己のＩＤを有する制御信号をドアホン親機Ａへと伝送する。この制御信号を受けたドアホン親機Ａの制御部９は、人体を検知した旨をモニタ１に表示させると同時にスピーカにて報知音を鳴動させ家人に報知する。報知を受けた家人は操作部２を操作することで、センサカメラＣの撮像した映像をモニタ１に表示させることができる。ここで、モニタ１の映像を見た家人は、例えば、撮像された他の家人と通話したい場合や、撮像された侵入者に対して警告したい場合において、センサカメラＣで通話することが可能である。
【００３４】
この場合、制御部９は、上述した接続先登録の情報と制御信号から読取ったＩＤとを照合してセンサカメラＣの接続先を特定し、切換回路５を制御して通話先のセンサカメラＣが接続されている接続端子Ｔとの間で音声信号路Ｒ及び給電路を接続させる。又、同時に制御部９は、給電部８ａの給電を停止させると共に、全ての接続端子Ｔ１〜Ｔ３に接続された機器に対してセンサカメラＣから受けたＩＤと同じＩＤを有する制御信号を返送する。なお、切換回路５は音声信号Ｒ及び給電路を接続するが、給電部８ａが給電を停止するため、子機ＢがセンサカメラＣと同時に動作することはない。
【００３５】
ドアホン親機Ａからの制御信号を受けたセンサカメラＣ及び子機Ｂは、制御信号の有するＩＤが自己のＩＤと同一である場合においてのみ、この制御信号を受け付けてマイクを動作させる。すなわち、人体を検知したセンサカメラＣのみがドアホン親機Ａからの制御信号を受け付けてマイクを動作させることになり、ドアホン親機ＡはこのセンサカメラＣのみと通話することが可能になる。
【００３６】
ここで、ドアホン親機Ａのモニタ１には複数のカメラで撮像された映像を同時に４ｃｈまで分割表示させることができるため、子機ＢやセンサカメラＣと通話中であっても、人体検知の報知を受けて他のセンサカメラＣの映像を通話中の映像と一緒に表示させることができる。ただし、音声については一箇所のセンサカメラＣからしか同時に受けられないため、複数の映像を表示させている場合であっても、選択した一箇所の子機Ｂ又はセンサカメラＣのみと通話することになる。
【００３７】
したがって、このインターホンシステムは、複数の接続端子Ｔ１〜Ｔ３に対して一端子ごとに順番に音声信号路Ｒ１〜Ｒ３を接続させると共に、登録対象となるセンサカメラＣからトーン信号を要求し、検出部６においてトーン信号を検出させているため、登録対象のセンサカメラＣは、トーン信号を受けた時に接続していた一の接続端子Ｔを介して接続されていることが特定できる。更にこの作業は、登録対象のセンサカメラＣを指定しさえすれば制御部９が自動で行うものであるため、センサカメラＣの接続先の登録を容易に行うことができる。
【００３８】
又、登録プログラムは、登録対象のセンサカメラＣを接続端子Ｔ１〜Ｔ３に接続して電源を入れることで、自動的に起動するようになっているため、センサカメラＣの接続先登録を完全に自動で行うことができる。
【００３９】
又、センサカメラＣの接続先登録が自動で行われるため、接続先やＩＤを間違えて登録することで発生するトラブルを回避でき、センサカメラＣが人体を検知した場合においては確実にドアホン親機Ａから家人に報知され、センサカメラＣとドアホン親機Ａとの間で映像及び音声の伝送をすることができる。
【図面の簡単な説明】
【００４０】
【図１】本願発明の一実施形態であるインターホンシステムを示すブロック図。
【図２】同インターホンシステムを示す構成図。
【図３】同インターホンシステムのセンサカメラを示すブロック図。
【図４】同インターホンシステムの接続先登録のプロセスを示すフロー図。
【図５】従来例であるインターホンシステムを示す構成図。
【図６】従来例であるインターホンシステムのドアホン親機を示すブロック図。
【符号の説明】
【００４１】
Ａ  ドアホン親機
Ｂ  子機
Ｃ  センサカメラ
Ｒ  音声信号路
Ｔ  接続端子
【図１】
2008054123.tif 000003
【図２】
2008054123.tif 000004
【図３】
2008054123.tif 000005
【図４】
2008054123.tif 000006
【図５】
2008054123.tif 000007
【図６】
2008054123.tif 000008